(57)【要約】【課題】下屋屋根と外壁との境界部において、直線状に延びる一般部間に存在する非一般部を、役物止水板を用いて、容易に止水することができる、下屋の屋根と外壁との間の止水構造を提供する。【解決手段】下屋屋根と外壁との境界部において、一般部間をつなぐ非一般部が役物止水板４で止水され、該役物止水板４は、外壁面材の背後を立ち上がる外壁側止水板１９と下屋の屋根に沿う下屋屋根側止水板２０とに分割されている。【選択図】      図１
2005180055.tif 000002
【特許請求の範囲】
【請求項１】
一般部において、下屋の屋根と外壁との境界部が、外壁面材の背後を立ち上がる部分と下屋の屋根に沿う部分とを有する止水板で止水された、下屋の屋根と外壁との間の止水構造であって、
一般部間をつなぐ非一般部が役物止水板で止水され、該役物止水板は、外壁面材の背後を立ち上がる外壁側止水板と下屋の屋根に沿う下屋屋根側止水板とに分割されていることを特徴とする下屋の屋根と外壁との間の止水構造。
【発明の詳細な説明】
【技術分野】
【０００１】
本発明は、下屋の屋根と外壁との間の止水構造に関する。
【背景技術】
【０００２】
建物に付属する下屋の屋根と建物の外壁との境界部を止水する止水構造として、金属板、金属樹脂複合板、合成樹脂板などからなる止水板を用い、該止水板を、その一方の側を外壁面材の背後に回り込ませて立ち上がらせ、しかる後、もう一方の側を下屋の屋根に沿わせるようにして設置するものがある。
【発明の開示】
【発明が解決しようとする課題】
【０００３】
この止水構造において、下屋屋根と外壁との境界部には、例えば、下屋の屋根の棟部部分などの境界部のように、直線状に延びる一般部間をつなぐ非一般部が存在する場合があり、この非一般部は、形状が入り組んだところであって、この部分をいかなる方法で止水するかが問題である。
【０００４】
例えば、ゴム状の止水膜材を用い、これを非一般部にその部分の形状になじませるように変形させて貼り付けて取り付ける方法も一つの方法として考えられるが、施工が容易ではなく、できれば一般部用の止水板と同種の役物止水板を用いて止水することが望まれる。
【０００５】
しかしながら、一般部において、上記のような止水板を用いることで止水することができる場合であっても、非一般部において、役物止水板を用いて止水しようとすると、その役物止水板は、外壁面材の背後を立ち上がる部分と下屋の屋根に沿う部分とを備えた形状をしているのに加えて、両一般部側に張り出す形状をも備えなければならないことから、全体形状が複雑に立体化してしまい、また、非一般部の形状も入り組んでいることから、役物止水板の一方の側を外壁面材の背後に回り込ませて立ち上がらせ、もう一方の側を下屋の屋根に沿わせるというような設置の仕方が困難ないし不可能な場合がある。
【０００６】
本発明は、上記のような問題点に鑑み、下屋屋根と外壁との境界部において、直線状に延びる一般部間に存在する非一般部を、役物止水板を用いて、容易に止水することができる、下屋の屋根と外壁との間の止水構造を提供することを課題とする。
【課題を解決するための手段】
【０００７】
上記の課題は、一般部において、下屋の屋根と外壁との境界部が、外壁面材の背後を立ち上がる部分と下屋の屋根に沿う部分とを有する止水板で止水された、下屋の屋根と外壁との間の止水構造であって、
一般部間をつなぐ非一般部が役物止水板で止水され、該役物止水板は、外壁面材の背後を立ち上がる外壁側止水板と下屋の屋根に沿う下屋屋根側止水板とに分割されていることを特徴とする下屋の屋根と外壁との間の止水構造によって解決される。
【０００８】
この構造では、役物止水板が、外壁面材の背後を立ち上がる外壁側止水板と下屋の屋根に沿う下屋屋根側止水板とに分割されているので、分割された外壁側止水板と下屋屋根側止水板とをそれぞれ別々に非一般部に設置することができて、一方の部分が他方の部分の設置の妨げとならず、非一般部への役物止水板の設置を容易に行うことができ、非一般部を役物止水板で容易に止水することができる。もちろん、ゴム状止水膜を用いる場合とは異なり、可撓性を備えた硬質の止水板で非一般部を止水するものであるから、施工を的確かつ容易に行うことができる。
【発明の効果】
【０００９】
本発明は、以上のとおりのものであるから、下屋屋根と外壁との境界部において、直線状に延びる一般部間に存在する非一般部を、役物止水板を用いて、容易に止水することができる。
【発明を実施するための最良の形態】
【００１０】
次に、本発明の実施最良形態を図面に基づいて説明する。
【００１１】
図１〜図５に示す実施形態の止水構造において、図４及び図５に示すように、１は建物に付属する下屋の屋根、２は建物の外壁、３は一般部止水板、４は役物止水板である。なお、５は化粧水切り板である。また、下屋の屋根１において、６は垂木、７は野地板、８は防水用のルーフィング、９は屋根仕上げ材である。
【００１２】
外壁２は、窯業系などの外壁面材１０の背後に外断熱用の発泡樹脂断熱材１１が備えられ、その背後に軸組構造材１２等の他の構造部分が備えられたものからなっていて、発泡樹脂断熱材１１の下縁部の背面側には切欠き１３が形成され、この切欠き１３によって、発泡樹脂断熱材１１と軸組構造材１２との間に、止水板を差し込む下向き開放の差込み部１４が形成されている。
【００１３】
一般部止水板３は、図４（イ）（ロ）に示すように、下屋の屋根１と外壁２との境界部において、直線状に延びる境界部分、即ち一般部１５，１５に設置されるもので、金属板、あるいは、金属と樹脂の複合板、あるいは、樹脂板などからなっており、図１（ロ）及び図５（イ）に示すように、外壁面材よりも背後を立ち上がる部分３ａと下屋の屋根に沿う部分３ｂとを一体的に有し、屋外側から、立ち上がり部分３ａを外壁２側の差込み部１４に下から差し込んだ後、下屋の屋根に沿う部分３ｂを下屋の屋根１のルーフィング８よりも上面側に沿わせるというようにして設置することができるようになされている。なお、１７はシーリング材、１８は外壁への固定金物である。
【００１４】
役物止水板４は、図４（イ）（ロ）に示すように、下屋の屋根１と外壁２との境界部において、上記の一般部１５，１５間の非一般部１６、即ち、本実施形態では下屋の屋根１の棟部部分に設置されるもので、一般部止水板３と同様に、金属板、あるいは、金属と樹脂の複合板、あるいは、樹脂板などからなっている。
【００１５】
この役物止水板４は、図１（イ−１）（イ−２）及び図５（ロ）に示すように、一般部止水板３と同様に、外壁面材の背後を立ち上がる部分と、下屋の屋根に沿う部分とを備えているが、これらの部分が、外壁面材の背後を立ち上がる外壁側止水板１９と、下屋の屋根に沿う下屋屋根側止水板２０とに分割されている。そして、各分割止水板１９，２０は、非一般部１６間を挟む一方の一般部１５側に張り出す部分１９ｂ，２０ｂと、もう一方の一般部１５側に張り出す部分１９ｂ，２０ｂとを備えると共に、外壁側止水板１９の下端側１９ａと下屋屋根側止水板２０の先端側２０ａとがしっくりと重ね合わされてそれらの間が止水されるようになされている。なお、外壁側止水板１９において、１７はシーリング材である。
【００１６】
下屋の屋根１と外壁２の境界部への止水板の設置は、例えば次のようにして行うことができる。即ち、図３（イ）及び図５（イ）に示すように、役物止水板４の設置に先立ち、非一般部を挟む両一般部１５に屋外側から一般部止水板３，３を設置する。
【００１７】
しかる後、非一般部１６に役物止水板４を設置するが、その際、まず、外壁側止水板１９の設置を行う。外壁側止水板１９の設置は、図２（イ）に示すように、屋外側から、外壁側止水板１９の上縁部を外壁２側の差込み部１４内に差し込み、そして、図３（ロ）に示すように、左右の側方張出し部１９ｂ，１９ｂを左右の一般部止水板３，３の屋外側の面部に沿わせるように重ね、外壁側止水板１９をビス打ちなどで左右の一般部止水板３，３に連結して止め付ける。
【００１８】
外壁側止水板１９には下屋屋根に沿わせる部分が備えられていないため、外壁側止水板１９の上縁部を外壁２側の差込み部１４内に差し込むに際して下屋屋根に沿わせる部分が差込みの妨げとなることはなく、差込み部１４への外壁側止水板１９の差込みを容易に行うことができる。
【００１９】
次いで、同じく屋外側から下屋屋根側止水板２０の設置を行う。下屋屋根側止水板２０の設置は、図２（ロ）及び図１（イ−２）に示すように、下屋屋根側止水板２０の先端部２０ａを外壁側止水板１９の下端側１９ａの下面側ないしは内面側に差し込んで重ね合わせるようにした後、図５（ロ）に示すように、本体部を下屋屋根１のルーフィング８の上面側に沿わせるようにすることで、図３（ハ）に示すように、左右の側方張出し部２０ｂ，２０ｂを左右の一般部止水板３，３に外側から沿わせるように重ね、下屋屋根側止水板２０をビス打ちなどで左右の一般部止水板３，３に連結して止め付ける。
【００２０】
下屋屋根側止水板２０には、外壁面材の背後を立ち上がる部分が備えられていないため、下屋屋根側止水板２０を下屋屋根１に沿わせるように設置するに際して、外壁面材の背後を立ち上がる部分がその設置の妨げとなることはなく、下屋屋根１側への下屋屋根側止水板２０の設置を容易に行うことができる。なお、外壁側止水板１９と下屋屋根側止水板２０との間は、シーリング材などを挟み込むなどして水密状態にしておくのもよい。
【００２１】
このように、上記の止水構造によれば、役物止水板４が、外壁面材の背後を立ち上がる外壁側止水板１９と、下屋の屋根に沿う下屋屋根側止水板２０とに分割されているので、これら分割止水板１９，２０をそれぞれ容易に設置することができて、役物止水板４の設置を容易に行うことができ、下屋の屋根１と外壁２との境界部における非一般部１６を容易に止水することができる。
【００２２】
以上に、本発明の実施形態を示したが、本発明はこれに限られるものではなく、発明思想を逸脱しない範囲で各種の変更が可能である。例えば、上記の実施形態では、役物止水板を構成する各分割止水板を一般部止水板に止め付けて取り付ける構造としているが、各分割止水板を止め付ける対象に制限はない。
【００２３】
また、本発明において、下屋屋根と外壁との境界部における非一般部とは、上記のような下屋の屋根１の棟部部分における境界部に限られるものではなく、要は、直線状に延びる一般部間をつなぐ部分、即ち、境界部の延びる方向が変化する部分を意味し、例えば、境界部が外壁の出隅部や入隅部を挟んで両側に延びているような場合に、下屋の屋根と外壁の出隅部や入隅部における境界部分も本発明においていう非一般部の概念に含まれる。
【図面の簡単な説明】
【００２４】
【図１】実施形態を示すもので、図（イ−１）は役物止水板を外壁側止水板と下屋屋根側止水板とを分離状態にして示す斜視図、図（イ−２）は外壁側止水板と下屋屋根側止水板とを組み合わせた状態の斜視図、図（ロ）は一般部止水板の斜視図である。
【図２】図（イ）は外壁側止水板の取付け方法を示す断面側面図、図（ロ）は下屋屋根側止水板の取付け方法を示す断面側面図である。
【図３】図（イ）〜図（ハ）は役物止水板の取付け方法を順次に示す正面図である。
【図４】図（イ）は建物の外壁と下屋の屋根との境界部分を示す概略斜視図、図（ロ）は図（イ）のＡ部拡大断面正面図である。
【図５】図（イ）は図４（ロ）のＩ−Ｉ線断面図、図（ロ）は図４（ロ）のＩＩ−ＩＩ線断面図である。
【符号の説明】
【００２５】
１…下屋屋根
２…外壁
３…一般部止水板
３ａ…立ち上がり部分
３ｂ…下屋屋根に沿う部分
４…役物止水板
１０…外壁面材
１５…一般部
１６…非一般部
１９…外壁側止水板
２０…下屋屋根側止水板
【図１】
2005180055.tif 000003
【図２】
2005180055.tif 000004
【図３】
2005180055.tif 000005
【図４】
2005180055.tif 000006
【図５】
2005180055.tif 000007